(57)【要約】【課題】  移動体の捜索を安定して行うことができる信頼性の高い捜索システムを提供する。【解決手段】  この捜索システムは、発信器(２)(２)…と、その発信器(２)から発信された電波を受信する複数の基地局(３)(３)…と、それら基地局(３)(３)…から送信された情報を受信して発信器(２)(２)…が装着された移動体(１)(１)…の位置を特定するとともに、その位置情報を各種端末(30)(30)…に送信するセンタ(４)とを備え、発信器(２)(２)…を、外部からの電源のオンオフ操作を不能とした状態で、移動体(１)(１)…の目立たない箇所に固着してある。【選択図】  図１
2006235847.tif 000002
【特許請求の範囲】
【請求項１】
移動体に装着される発信器と、その発信器から発信された電波を受信する複数の基地局と、それら基地局から送信された情報を受信して前記発信器が装着された移動体の位置を特定するとともに、その位置情報を各種端末に送信するセンタとを備えた移動体の捜索システムであって、前記発信器を、外部からの電源のオンオフ操作を不能とした状態で、前記移動体に固着したことを特徴とする移動体の捜索システム。
【請求項２】
前記移動体は、子供や老人等の人であって、その人の衣服や靴、携帯品の外部から見えない箇所に前記発信器を固着した請求項１記載の移動体の捜索システム。
【請求項３】
前記移動体は、車や金庫等の物品であって、その物品の外部から見えない箇所に前記発信器を固着した請求項１記載の移動体の捜索システム。
【請求項４】
前記発信器は、電波を透過可能な外装ケースに、アンテナ、発信部及び電源部を内装してなり、前記外装ケースを破壊しない限り前記電源部の取り出しを不能とした請求項１乃至３のいずれかに記載の移動体の捜索システム。
【請求項５】
前記基地局を、住宅展示場、住宅メーカーの支店や営業所、営業車、戸建て住宅や集合住宅に設けた請求項１乃至４のいずれかに記載の移動体の捜索システム。
【発明の詳細な説明】
【技術分野】
【０００１】
この発明は、例えば子供や老人、車や金庫等の位置を捜索するための移動体の捜索システムに関する。
【背景技術】
【０００２】
近年、子供の連れ去り事件が頻発している。また、高齢化社会が進むにつれて、老人の徘徊に対しても迅速な対応が望まれている。さらに、高級車ばかりを狙った盗難事件や、トラックで乗り付けて金庫、自動販売機やＡＴＭ機等をまるごと盗むといった大胆な手口の窃盗事件も横行している。
【０００３】
そこで、このような問題に対処するために、例えば特許文献１〜３に開示されているように、子供や老人に発信器を携帯させたり、自動車や金庫等に発信器を取り付けて、それら発信器からの電波を受信することで、子供や老人、車や金庫等の移動体の所在を特定するといった捜索システムが各種提案されている。
【０００４】
【特許文献１】特開２００１−２４５３３４号公報
【特許文献２】特開平１０−２６７６８４号公報
【特許文献３】特開平１０−１８７９００号公報
【発明の開示】
【発明が解決しようとする課題】
【０００５】
しかしながら、子供や老人に発信器を携帯させたり、車や金庫等に発信器を取り付けるだけでは、例えば発信器の電源をオフ状態のままにしていたり、また故意に発信器の電源をオフ状態にされたり、さらには発信器を取り外して捨てられることがあり、この場合、移動体の所在を特定することができず、今一つ信頼性に欠けていた。
【０００６】
そこで、この発明は、上記の不具合を解消して、移動体の捜索を安定して行うことができる信頼性の高い捜索システムの提供を目的とする。
【課題を解決するための手段】
【０００７】
上記の課題を解決するため、この発明の移動体の捜索システムは、移動体に装着される発信器と、その発信器から発信された電波を受信する複数の基地局と、それら基地局から送信された情報を受信して前記発信器が装着された移動体の位置を特定するとともに、その位置情報を各種端末に送信するセンタとを備え、前記発信器を、外部からの電源のオンオフ操作を不能とした状態で、前記移動体に固着したことを特徴とする。
【０００８】
具体的に、前記移動体は、子供や老人等の人であって、その人の衣服や靴、携帯品の外部から見えない箇所に前記発信器を固着している。
【０００９】
また、前記移動体は、車や金庫等の物品であって、その物品の外部から見えない箇所に前記発信器を固着している。
【００１０】
さらに、前記発信器は、電波を透過可能な外装ケースに、アンテナ、発信部及び電源部を内装してなり、前記外装ケースを破壊しない限り前記電源部の取り出しを不能としている。
【００１１】
さらにまた、前記基地局を、住宅展示場、住宅メーカーの支店や営業所、営業車、戸建て住宅や集合住宅に設けている。
【発明の効果】
【００１２】
この発明の捜索システムを利用することで、発信器の電源を故意にオフ状態とされたり、発信器を取り外して捨てられる可能性が少なくなり、発信器の電源を常にオン状態として、移動体の捜索を安定して行うことができ、信頼性の向上を図ることができる。
【００１３】
また、住宅展示場、住宅メーカーの支店や営業所、営業車、戸建て住宅や集合住宅といった箇所に基地局を設けて、複数の基地局を張り巡らせることで、発信器からの電波を確実に受信することができ、発信器の小型軽量化を図ることができる。
【発明を実施するための最良の形態】
【００１４】
以下、この発明の実施形態を図面に基づいて詳細に説明する。この発明の一実施形態に係る捜索システムは、図１に示すように、移動体(１)(１)…に装着される複数の発信器(２)(２)…と、複数の基地局(３)(３)…と、センタ(４)とを備えている。
【００１５】
移動体(１)としては、捜索を必要とする子供や老人等の人、ペット、車や金庫等の各種物品を対象としている。
【００１６】
発信器(２)は、図２及び図３に示すように、例えば電波を透過可能な樹脂によって成形された外装ケース(10)に、電波信号を発信するためのアンテナ(11)及び発信部(12)を備えた回路基板(13)と、電源部としての電池(14)を内装してなる。
【００１７】
この発信器(２)は、例えば電波を間欠的に発信するようになっており、消費電力を抑えて小型の電池(14)の使用を実現しており、これによって小型軽量化を図っている。また、この発信器(２)においては、外装ケース(10)を破壊しない限り電池(14)の取り出しができないようになっており、これによって外部からの電源のオンオフ操作が不能な使い捨ての構造となっている。このため、電池(14)の寿命を把握しておいて、その寿命に応じて発信器(２)を定期的に交換するようにしている。なお、発信器(２)の外装ケース(10)を、鍵によって開閉する構造としても良く、この場合には、電池(14)のみを定期的に交換して使い回しすることができる。
【００１８】
このようにして構成された発信器(２)は、子供や老人等の人に対しては、その衣服や靴、さらにはランドセルや杖や携帯電話等の携帯品の外部から見えない箇所に、例えば縫い付けたり、埋め込んだり、接着することで固着している。また、ペットに対して発信器(２)を取り付ける場合には、その首輪に縫い付けたり、接着することで固着している。さらに、車や金庫等の物品に対して発信器(２)を取り付ける場合には、外部から見えない箇所に、例えば磁石等によって吸着したり、接着することで固着している。
【００１９】
基地局(３)は、図４に示すように、アンテナ(20)及び受信部(21)と、制御部(22)と、電源部(23)と、通信部(24)とを備えている。この基地局(３)においては、発信器(２)から発信された電波信号をアンテナ(20)及び受信部(21)によって受信すると、制御部(22)が受信した電波信号に含まれる発信器(２)の識別情報を取り出して、その発信器識別情報と基地局識別情報とを合わせて通信部(24)から通信回線を介してセンタ(４)へ送信するようになっている。
【００２０】
このようにして構成された基地局(３)は、主として住宅展示場(25)、住宅メーカーの支店や営業所(26)、住宅メーカーとの契約により設置が許可された戸建て住宅(27)や集合住宅、営業車(28)に設けられていて、このように基地局(３)(３)…を広範囲かつ緻密に配置することで、小型軽量化した発信器(２)(２)…からの微弱な電波を確実に受信できるようにしている。
【００２１】
センタ(４)においては、基地局(３)(３)…から送信された発信器識別情報及び基地局識別情報を受信して、識別された基地局(３)の設置場所から移動体(１)の位置を特定するようになっている。また、特定した移動体(１)の位置情報を、依頼者の携帯電話やパソコン、警察や警備会社のパソコン等の各種端末(30)(30)…に送信するようになっている。
【００２２】
上記の依頼者には、住宅メーカーの住宅(27)を購入して、基地局(３)の設置を許可した家主が優先的になれるようにしておけば、基地局(３)(３)…の拡大を効率良く行うことができ、家主にも捜索システムを享受できるといったメリットがある。なお、家主だけに限らす、他の一般の人でも、契約により依頼者になることができることは言うまでもない。
【００２３】
上記構成の捜索システムを用いて、例えば発信器(２)を子供が通学時に携帯するランドセル等の肩掛け部に目立たないように縫い付けておくことで、発信器(２)の電源がオフ状態となることはなく、また子供が連れ去れても、発信器(２)が見つかって故意に電源をオフ状態とされたり、取り外して捨てられる可能性が少なくなり、子供の居場所を確実に特定して、迅速に対応することができる。
【００２４】
また、発信器(２)を老人の衣服等に縫い付けたり、常時携帯する杖や携帯電話等に取り付けておけば、老人の徘徊に対しても迅速に対応することができる。さらに、発信器(２)をペットの首輪に取り付けることで、行方不明になったペットを簡単に捜し出すことができる。
【００２５】
さらにまた、高級車や金庫、自動販売機やＡＴＭ機、工事現場の建築資材や重機類等に発信器(２)を目立たないように取り付けておけば、窃盗団がこれらの物品を持ち出して安全な場所に移動する間にも、窃盗団に気づかれることなく、その位置を特定して追跡することができ、盗難対策としても有効である。
【００２６】
また、住宅(27)の敷地内への不審者の侵入や住宅(27)の窓ガラスの割れ等を検知するセンサと発信器(２)とを組み合わせて、センサからの信号によって発信器(２)が電波信号を発信するようにして、この信号を住宅(27)に設けた基地局(３)を利用してセンタ(４)へ送信し、センタ(４)が居住者、警備会社、警察、消防に対して住宅(27)において異常事態が発生した旨を通報するように構成することで、捜索システムを防犯システムとして活用することができる。しかも、センタ(４)が、異常事態発生の通報と同時に、住宅(27)において破損箇所が発生した旨を修理業者に通報すれば、居住者がわざわざ修理業者を捜して連絡することなく、修復の対応を即座に行うことができ、きめ細やかなサービスを提供することができる。
【００２７】
この発明は、上記実施形態に限定されるものではなく、この発明の範囲内で上記実施形態に多くの修正及び変更を加え得ることは勿論である。
【図面の簡単な説明】
【００２８】
【図１】この発明の一実施形態に係る捜索システムの構成図である。
【図２】発信器の斜視図である。
【図３】発信器のブロック図である。
【図４】基地局のブロック図である。
【符号の説明】
【００２９】
(１)  移動体
(２)  発信器
(３)  基地局
(４)  センタ
(10)  外装ケース
(11)  アンテナ
(12)  発信部
(14)  電源部
(25)  住宅展示場
(26)  営業所
(27)  戸建て住宅
(28)  営業車
(30)  端末
【図１】
2006235847.tif 000003
【図２】
2006235847.tif 000004
【図３】
2006235847.tif 000005
【図４】
2006235847.tif 000006